(57)【特許請求の範囲】
【請求項１】
集合住宅のバルコニーに設置されるシャッタ装置であって、
上記バルコニーの両脇に設置された左右１対の逆Ｕ字状のガイドレールと、これらガイドレール間において左右方向に延びるように配置された複数の細長パネルが所定の連結構造を介して相互に連結されてなるシャッタとを備えてなり、
上記シャッタが、上記両ガイドレールに沿ってバルコニー前部位置およびバルコニー後部位置間において移動し得るように構成されており、
上記各連結構造が、上記シャッタが上記バルコニー前部位置に移動したとき上記各細長パネルを略水平状態にするとともに、上記シャッタが上記バルコニー後部位置に移動したとき上記各細長パネルを略鉛直状態にするように構成されている、ことを特徴とするバルコニー用シャッタ装置。
【請求項２】
上記各連結構造が、上記シャッタがバルコニー上部位置に移動したとき上記各細長パネル相互間の間隔を狭くするように構成されている、ことを特徴とする請求項１記載のバルコニー用シャッタ装置。
【請求項３】
上記各細長パネルが、上記バルコニー前部位置および上記バルコニー後部位置の少なくとも一方において上下方向に角度調整可能に構成されている、ことを特徴とする請求項１または２記載のバルコニー用シャッタ装置。
【請求項４】
上記各細長パネルの上記バルコニー後部位置で後側になる面に、断熱層が設けられている、ことを特徴とする請求項１〜３いずれか記載のバルコニー用シャッタ装置。
【請求項５】
上記各細長パネルの上記バルコニー後部位置で前側になる面に、遮熱塗装が施されている、ことを特徴とする請求項１〜４いずれか記載のバルコニー用シャッタ装置。
【請求項６】
上記各細長パネルの上記バルコニー前部位置で後端部に位置する第１部位に、上記バルコニー前部位置で上向きに突出するフランジ部が形成されている、ことを特徴とする請求項１〜５いずれか記載のバルコニー用シャッタ装置。
【請求項７】
上記各細長パネルが、該細長パネルの上記バルコニー前部位置で前端部に位置する第２部位において上記両ガイドレールに係合しており、
上記各連結構造が、両端部に第１および第２貫通孔が形成されるとともに上記第２貫通孔から該第２貫通孔の径よりも狭い幅で上記第１貫通孔へ向けて延びる所定長のスリットが形成されたリンク部材を備えてなり、
上記リンク部材が、上記第１貫通孔において上記細長パネルの上記第２部位とピン結合されるとともに、上記第２貫通孔において上記細長パネルに隣接する第２の細長パネルの上記第２部位の近傍部位とピン結合されており、
上記リンク部材と上記第２の細長パネルとの交角が所定角度になったときのみ、上記第２の細長パネルが上記スリットに沿ってスライドし得るように構成されている、ことを特徴とする請求項１〜６いずれか記載のバルコニー用シャッタ装置。
【請求項８】
上記各細長パネルが、上記第１部位においてヒモ状部材により相互に連結されている、ことを特徴とする請求項７記載のバルコニー用シャッタ装置。
【請求項９】
上記シャッタを２組備えてなる、ことを特徴とする請求項１〜８いずれか記載のバルコニー用シャッタ装置。
【発明の詳細な説明】
【０００１】
【発明の属する技術分野】
本願発明は、集合住宅のバルコニーに設置されるシャッタ装置に関するものである。
【０００２】
【従来の技術】
マンション等の集合住宅においては、バルコニー側からの日射により室内温度が上昇しやすい環境下にある。
【０００３】
これに対して、従来より、バルコニーにすだれを立てかけたり、室内の窓面にブラインド等を配置することにより、熱環境の改善を図る工夫がなされている。また、住宅用断熱雨戸を備えた集合住宅の提案もなされている。
【０００４】
【発明が解決しようとする課題】
しかしながら、上記従来の構造においては、熱環境をある程度改善することは可能であるが、バルコニーのスペースが光や熱の緩衝空間として効果的に活用されていない、という問題がある。
【０００５】
本願発明は、このような事情に鑑みてなされたものであって、厳しい熱環境下にある集合住宅のバルコニーを、光や熱の緩衝空間として効果的に活用することができるバルコニー用シャッタ装置を提供することを目的とするものである。
【０００６】
【課題を解決するための手段】
本願発明は、バルコニーの両脇に左右１対の逆Ｕ字状のガイドレールを設け、これらガイドレールに沿って所定のシャッタをバルコニー前部位置およびバルコニー後部位置間において移動させ得る構成とすることにより、上記目的達成を図るようにしたものである。
【０００７】
すなわち、本願発明に係るバルコニー用シャッタ装置は、
集合住宅のバルコニーに設置されるシャッタ装置であって、
上記バルコニーの両脇に設置された左右１対の逆Ｕ字状のガイドレールと、これらガイドレール間において左右方向に延びるように配置された複数の細長パネルが所定の連結構造を介して相互に連結されてなるシャッタとを備えてなり、
上記シャッタが、上記両ガイドレールに沿ってバルコニー前部位置およびバルコニー後部位置間において移動し得るように構成されており、
上記各連結構造が、上記シャッタが上記バルコニー前部位置に移動したとき上記各細長パネルを略水平状態にするとともに、上記シャッタが上記バルコニー後部位置に移動したとき上記各細長パネルを略鉛直状態にするように構成されている、ことを特徴とするものである。
【０００８】
上記左右１対の「ガイドレール」は、逆Ｕ字状に形成され、かつバルコニーの両脇に設置されたものであれば、該ガイドレールの断面形状や、バルコニーの前部、後部および上部の各位置おける該ガイドレールの長さ等の具体的構成は特に限定されるものではない。
【０００９】
上記各「細長パネル」は、左右１対のガイドレール間において左右方向に延びるように配置されたものであれば、その材質や断面形状等の具体的構成は特に限定されるものではない。
【００１０】
【発明の作用効果】
上記構成に示すように、本願発明に係るバルコニー用シャッタ装置は、バルコニーの両脇に設けられた左右１対の逆Ｕ字状のガイドレールと、これらガイドレール間において左右方向に延びるように配置された複数の細長パネルが所定の連結構造を介して相互に連結されてなるシャッタとを備えているが、このシャッタは、両ガイドレールに沿ってバルコニー前部位置およびバルコニー後部位置間において移動し得るように構成されており、また各連結構造は、シャッタがバルコニー前部位置に移動したとき各細長パネルを略水平状態にするとともに、シャッタがバルコニー後部位置に移動したとき各細長パネルを略鉛直状態にするように構成されているので、次のような作用効果を得ることができる。
【００１１】
すなわち、シャッタをバルコニー前部位置に移動させれば、各細長パネルは略水平状態になるので、これらをルーバーとして機能させることができ、これにより通風や明るさを確保しながら夏季の直射日光を遮ることができる。一方、シャッタをバルコニー後部位置に移動させれば、各細長パネルは略鉛直状態になるので、これらを遮熱シャッタあるいは遮光シャッタとして機能させることができ、これにより冬季や夜間における保温効果あるいはブラインド効果、さらには夏季における保冷効果等を確保することができる。
【００１２】
したがって本願発明によれば、厳しい熱環境下にある集合住宅のバルコニーを、光や熱の緩衝空間として効果的に活用することができる。そしてこれにより、バルコニーの緑化促進や冷暖房負荷の軽減を図ることができる。
【００１３】
しかも、本願発明に係るバルコニー用シャッタ装置は、既設・新設を問わず、集合住宅のバルコニーに設置することが可能である。
【００１４】
上記構成において、各連結構造を、バルコニー上部位置に移動したとき各細長パネル相互間の間隔を狭くする構成とすれば、シャッタを必要としないときには、これを畳んだ状態でバルコニー上部位置にコンパクトに収納することができ、これによりバルコニーを通常のバルコニーのように使用することができる。
【００１５】
また上記構成において、各細長パネルをバルコニー前部位置およびバルコニー後部位置の少なくとも一方において上下方向に角度調整可能な構成とすれば、次のような作用効果を得ることができる。
【００１６】
すなわち、各細長パネルを、バルコニー前部位置において上下方向に角度調整可能な構成とすれば、ルーバー機能を確保しつつ通風や明るさの調整を行うことができ、一方、バルコニー後部位置において上下方向に角度調整可能な構成とすれば、保温効果やブラインド効果をある程度確保した上で、通風や採光を図ることができる。
【００１７】
上記各細長パネルの具体的構成が特に限定されないことは上述したとおりであるが、各細長パネルのバルコニー後部位置で後側になる面に断熱層を設けるようにすれば、保温効果を高めることができる。また、各細長パネルのバルコニー後部位置で前側になる面に遮熱塗装を施すようにすれば、遮熱効果を高めることができる。なお、それ以外の面にも遮熱塗装を施すことももちろん可能であり、このようにすれば遮熱効果をさらに高めることができる。
【００１８】
上記構成において、各細長パネルのバルコニー前部位置で後端部に位置する第１部位に、バルコニー前部位置で上向きに突出するフランジ部が形成された構成とすれば、雨水等がバルコニー内へ流れ込むのを防止することができる。また、この上向きフランジ部の高さ寸法を適当に設定することにより、日射の遮光角度の設定を行うことができる。
【００１９】
また上記構成において、各細長パネルを、各細長パネルにおけるバルコニー前部位置で前端部に位置する第２部位において両ガイドレールに係合させるとともに、各連結構造を、両端部に第１および第２貫通孔が形成されるとともにこの第２貫通孔から該第２貫通孔の径よりも狭い幅で第１貫通孔へ向けて延びる所定長のスリットが形成されたリンク部材を備えた構成とし、このリンク部材を、第１貫通孔において細長パネルの第２部位とピン結合するとともに、第２貫通孔において細長パネルに隣接する第２の細長パネルにおける第２部位の近傍部位とピン結合し、リンク部材と第２の細長パネルとの交角が所定角度になったときのみ第２の細長パネルがスリットに沿ってスライドし得る構成とすれば、各細長パネルの自重を利用して、その移動位置により各細長パネルを略水平状態、略鉛直状態、および畳んだ状態にすることが可能となる。
【００２０】
さらに上記構成において、各細長パネルを第２部位においてヒモ状部材により相互に連結された構成とすれば、各細長パネルをバルコニー前部位置あるいはバルコニー後部位置において上下方向に角度調整する際、これらを連動させて一斉に角度調整することが可能となり、これにより各細長パネルの姿勢変化を容易に行わせることができる。上記「ヒモ状部材」は、引張荷重には抵抗するが圧縮荷重には抵抗しない部材であれば、その種類は特に限定されるものではなく、例えば、ヒモ、ワイヤ、チェーン等が採用可能である。
【００２１】
本願発明に係るバルコニー用シャッタ装置は、シャッタを１組だけ備えた構成としてもよいことはもちろんであるが、これを２組備えた構成とすることも可能である。このようにした場合には、シャッタをバルコニー前部位置およびバルコニー後部位置に１組ずつ同時に配置することが可能となり、これにより快適環境の創出を一層容易なものとすることができる。
【００２２】
【発明の実施の形態】
以下、図面を用いて、本願発明の実施形態について説明する。
【００２３】
図１は、本願発明の一実施形態に係るバルコニー用シャッタ装置１０を示す側断面図である。
【００２４】
この図に示すように、本実施形態に係るバルコニー用シャッタ装置１０は、マンション等の集合住宅のバルコニー２に設置されるシャッタ装置であって、バルコニー２の両脇（バルコニー２に面する掃出し窓４の両脇）に設置された左右１対の逆Ｕ字状のガイドレール１２と、これらガイドレール１２に沿ってバルコニー前部位置およびバルコニー後部位置間において移動し得るように構成されたシャッタ１４とを備えた構成となっている。
【００２５】
同図（ａ）は、シャッタ１４がバルコニー前部位置へ移動した状態、同図（ｂ）は、シャッタ１４がバルコニー上部位置へ移動した状態、同図（ｃ）は、シャッタ１４がバルコニー後部位置へ移動した状態を各々示している。
【００２６】
各ガイドレール１２は、その上端水平部１２Ｕにおいて前後１対のブラケット１０２を介してバルコニー２の天井面２ａに吊下げ固定されている。また、各ガイドレール１２の前端鉛直部１２Ｆは、その下端部がバルコニー２の手摺２ｂの後面上端部に固定されたストッパ１０４まで延びており、各ガイドレール１２の後端鉛直部１２Ｒは、その下端部がバルコニー２の床部上面２ｃ近傍まで延びている。
【００２７】
各ガイドレール１２は、その互いに対向する内側面にガイド溝１２ａが形成された箱形の断面形状を有している。このガイド溝１２ａは、後端鉛直部１２Ｒにおける掃出し窓４の両脇に位置する部分が狭幅部分１２ａ１として形成されている。
【００２８】
シャッタ１４は、両ガイドレール１２間において左右方向に延びるように配置された複数の細長パネル１６が、連結構造１８を介して相互に連結された構成となっている。これら各連結構造１８は、シャッタ１４がバルコニー前部位置に移動したときには各細長パネル１６を略水平状態にする一方、シャッタ１４がバルコニー後部位置に移動したときには各細長パネル１６を略鉛直状態にし、さらに、シャッタ１４がバルコニー上部位置に移動したときには各細長パネル１６相互間の間隔を狭くするように構成されている（これについては後述する）。
【００２９】
図２は、図１のII部詳細図である。また、図３は、図２の要部斜視図であり、図４は、図３のIV-IV 線断面詳細図である。
【００３０】
これらの図に示すように、各細長パネル１６は、幅１６ｃｍ程度で長さ２００ｃｍ程度のアルミニウム製のパネル本体２２と、この左右両端部に装着されたカバー金具２４とからなっている。
【００３１】
また、各細長パネル１６は、断面Ｚ型に形成されている。すなわち、各細長パネル１６において、バルコニー前部位置で後端部に位置する第１部位１６ａには、バルコニー前部位置で上向きに突出する第１フランジ部１６ｃが形成されており、また、バルコニー前部位置で前端部に位置する第２部位１６ｂには、バルコニー前部位置で下向きに突出する第２フランジ部１６ｄが形成されている。
【００３２】
各細長パネル１６のパネル本体２２において、バルコニー前部位置で上側（バルコニー後部位置で後側）になる面には断熱層２６が設けられており、また、パネル本体２２における断熱層２６以外の部分には遮熱塗装が施されている。この遮熱塗装には、例えば熱反射性顔料を含むフッ素樹脂塗料等の遮光塗料が用いられている。
【００３３】
各細長パネル１６は、その左右両側部の第２部位１６ｂにおいて両ガイドレール１２に係合している。この係合は、第２フランジ部１６ｄに取り付けられたガイドローラ２８を介して行われている。これら各ガイドローラ２８は、ローラ部２８Ａと軸部２８Ｂとからなっているが、最下段に位置する細長パネル１６のガイドローラ２８には、そのローラ部２８Ａの側面に円筒状のストッパ２８ａ（これについては後述する）が形成されている。
【００３４】
各連結構造１８は、両端部に第１および第２貫通孔２０ａ、２０ｂが形成されるとともに、第２貫通孔２０ｂから該第２貫通孔２０ｂの径よりも狭い幅で第１貫通孔２０ａへ向けて延びる所定長のスリット２０ｃが形成されたリンク部材２０を備えてなっている。
【００３５】
このリンク部材２０は、その第１貫通孔２０ａにおいて、細長パネル１６の第２部位１６ｂの第２フランジ部１６ｄとピン結合されるとともに、第２貫通孔２０ｂにおいて、バルコニー前部位置で該細長パネル１６の下側に隣接する細長パネル１６（第２の細長パネル）の第２部位１６ｂの近傍部位とピン結合されている。
【００３６】
その際、第１貫通孔２０ａにおける細長パネル１６とのピン結合は、第１貫通孔２０ａをガイドローラ２８の軸部２８Ｂに挿通させることによって行われている。一方、第２貫通孔２０ｂにおける細長パネル１６とのピン結合は、断面小判形の軸部３０ａを有するピン部材３０によって行われている。細長パネル１６の第２部位１６ｂの近傍部位には、断面小判形のピン固定穴１６ｅが形成されており、このピン固定穴１６ｅにピン部材３０の軸部３０ａが圧入固定されている。ピン固定穴１６ｅは、バルコニー前部位置で鉛直方向を向くように形成されている。これにより、図５に示すように、リンク部材２０と細長パネル１６との交角が直角（所定角度）になったときのみ、細長パネル１６がスリット２０ｃに沿ってスライドし得るようになっている。
【００３７】
各細長パネル１６は、その左右両側部の第１部位１６ａにおいてヒモ状部材３２により相互に連結されている。各細長パネル１６の第１部位１６ａには、ヒモ状部材３２を係止するための係止ピン３４が固定されている。
【００３８】
図２に示すように、シャッタ１４をバルコニー前部位置に移動させたとき、最下段に位置する細長パネル１６のガイドローラ２８がストッパ１０４に当接するが、このとき図１（ａ）に示すように、大半の細長パネル１６はガイドレール１２の前端鉛直部１２Ｆと係合した状態となり、上端部に位置するいくつかの細長パネル１６はガイドレール１２の上端水平部１２Ｕと係合した状態となる。そして、ガイドレール１２の前端鉛直部１２Ｆに位置する各細長パネル１６は、その自重により略水平状態となる。
【００３９】
ただし、各細長パネル１６は第２部位１６ｂおよびその近傍部位においてリンク部材２０にピン結合されているので、任意の細長パネル１６の第１部位１６ａを持ち上げることにより、図２に２点鎖線で示すように、細長パネル１６を上方へ回動させることが可能であり、これにより細長パネル１６を上下方向に角度調整することができる。このとき、各細長パネル１６は、その第１部位１６ａにおいてヒモ状部材３２により相互に連結されているので、持ち上げた細長パネル１６よりも下方に位置する細長パネル１６についても同時に上方へ回動させることができる。その際、ガイドレール１２の前端鉛直部１２Ｆの上端部に位置する細長パネル１６の第１部位１６ａを持ち上げるようにすれば、前端鉛直部１２Ｆに位置するすべての細長パネル１６を一斉に上方へ回動させることができる。
【００４０】
また、図５に示すように、細長パネル１６とリンク部材２０と交角が直角になる位置まで該細長パネル１６の第１部位１６ａを持ち上げた後、該細長パネル１６の第２部位１６ｂを持ち上げるようにすれば、該細長パネル１６をスリット２０ｃに沿ってスライドさせることができる。したがって、この操作を、最下段に位置する細長パネル１６から順次行うことにより、シャッタ１４を両ガイドレール１２に沿ってバルコニー上部位置へ移動させることができる。
【００４１】
図６は、図１のVI部詳細図である。
【００４２】
この図に示すように、シャッタ１４がバルコニー上部位置に移動したときには、各細長パネル１６相互間の間隔が狭くなる。その際、各細長パネル１６は、リンク部材２０との交角が直角に維持されたまま、その自重により斜め下方に延びるようにして重ね合わされた状態となる。
【００４３】
図７は、図１のVII 部詳細図であり、図８は、図７のVIII-VIII 線断面図である。
【００４４】
図７に示すように、シャッタ１４がバルコニー後部位置に移動したときには、バルコニー前部位置で最下段に位置していた細長パネル１６が最上段に位置することとなる。そして、この最上段に位置する細長パネル１６のガイドローラ２８に設けられたストッパ２８ａが、ガイドレール１２の後端鉛直部１２Ｒにおいて途中から狭くなったガイド溝１２ａの狭幅部分１２ａ１の上端部に当接することにより、シャッタ１４がバルコニー後部位置において位置決めされるようになっている。
【００４５】
このバルコニー後部位置においては、各細長パネル１６は、その自重により略鉛直状態となる。その際、各細長パネル１６は、その第１フランジ部１６ｃが、隣接する細長パネル１６の第２フランジ部１６ｄと噛み合うようにして重なった状態となる。
【００４６】
図８に示すように、各ガイドレール１２は、その後端鉛直部１２Ｒが、掃出し窓４の両側の壁面部６にＬ字部材１０６を介して固定されている。そして、壁面部６には、該壁面部６とシャッタ１４との間の隙間を小さくするための隙間塞ぎ材１０８が取り付けられている。
【００４７】
このバルコニー後部位置において、任意の細長パネル１６の第１部位１６ａ寄りの部分を前方へ押すことにより、図８に２点鎖線で示すように、該細長パネル１６を上方へ回動させることが可能であり、これにより細長パネル１６を上下方向に角度調整することができる。このとき、各細長パネル１６は、その第１部位１６ａにおいてヒモ状部材３２により相互に連結されているので、持ち上げた細長パネル１６よりも下方に位置する細長パネル１６についても同時に上方へ回動させることができる。その際、最上端に位置する細長パネル１６の第１部位１６ａを持ち上げるようにすれば、すべての細長パネル１６を一斉に上方へ回動させることができる。
【００４８】
また、細長パネル１６とリンク部材２０と交角が直角になる位置まで該細長パネル１６の第１部位１６ａを持ち上げた後、該細長パネル１６の第２部位１６ｂを持ち上げるようにすれば、該細長パネル１６をスリット２０ｃに沿ってスライドさせることができる。したがって、この操作を、最下段に位置する細長パネル１６から順次行うことにより、シャッタ１４を両ガイドレール１２に沿ってバルコニー上部位置へ移動させることができる。
【００４９】
以上詳述したように、本実施形態に係るバルコニー用シャッタ装置１０は、バルコニー２の両脇に設けられた左右１対の逆Ｕ字状のガイドレール１２と、これらガイドレール１２間において左右方向に延びるように配置された複数の細長パネル１６が連結構造１８を介して相互に連結されてなるシャッタ１４とを備えているが、このシャッタ１４は、両ガイドレール１２に沿ってバルコニー前部位置およびバルコニー後部位置間において移動し得るように構成されており、また各連結構造１８は、シャッタ１４がバルコニー前部位置に移動したとき各細長パネル１６を略水平状態にするとともに、シャッタ１４がバルコニー後部位置に移動したとき各細長パネル１６を略鉛直状態にするように構成されているので、次のような作用効果を得ることができる。
【００５０】
すなわち、シャッタ１４をバルコニー前部位置に移動させれば、各細長パネル１６は略水平状態になるので、これらをルーバーとして機能させることができ、これにより通風や明るさを確保しながら夏季の直射日光を遮ることができる。一方、シャッタ１４をバルコニー後部位置に移動させれば、各細長パネル１６は略鉛直状態になるので、これらを遮熱シャッタあるいは遮光シャッタとして機能させることができ、これにより冬季や夜間における保温効果あるいはブラインド効果、さらには夏季における保冷効果等を確保することができる。
【００５１】
したがって本実施形態によれば、厳しい熱環境下にある集合住宅のバルコニー２を、光や熱の緩衝空間として効果的に活用することができる。そしてこれによりバルコニー２の緑化促進や冷暖房負荷の軽減を図ることができる。
【００５２】
しかも、本実施形態に係るバルコニー用シャッタ装置１０は、既設・新設を問わず、集合住宅のバルコニー２に設置することが可能である。
【００５３】
本実施形態においては、各連結構造１８が、シャッタ１４がバルコニー上部位置に移動したとき各細長パネル１６相互間の間隔を狭くするように構成されているので、シャッタ１４を必要としないときには、これを畳んだ状態でバルコニー上部位置にコンパクトに収納することができ、これによりバルコニー２を通常のバルコニーのように使用することができる。
【００５４】
また本実施形態においては、各細長パネル１６がバルコニー前部位置において上下方向に角度調整可能に構成されているので、ルーバー機能を確保しつつ通風や明るさの調整を行うことができる。また、各細長パネル１６は、バルコニー後部位置においても上下方向に角度調整可能に構成されているので、保温効果やブラインド効果をある程度確保した上で、通風や採光を図ることができる。
【００５５】
しかも本実施形態においては、各細長パネル１６のパネル本体２２におけるバルコニー後部位置で後側になる面に断熱層２６が設けられているので、保温効果を高めることができる。また、各細長パネル１６のパネル本体２２における断熱層２６以外の部分には遮熱塗装が施されているので、遮熱効果を高めることができる。
【００５６】
さらに本実施形態においては、各細長パネル１６の第１部位１６ａに、バルコニー前部位置で上向きに突出する第１フランジ部１６ｃが形成されているので、雨水等がバルコニー２内へ流れ込むのを防止することができる。また、この上向きフランジ部１６ｃの高さ寸法を適当に設定することにより、日射の遮光角度の設定を行うことができる。
【００５７】
しかも本実施形態においては、各細長パネル１６の第２部位１６ｂに、バルコニー前部位置で下向きに突出する第２フランジ部１６ｄが形成されているので、バルコニー後部位置においては、各細長パネル１６を第１フランジ部１６ｃと第２フランジ部１６ｄとが噛み合うようにして重なった状態とすることができ、これにより細長パネル１６相互間の気密性を高めることができる。
【００５８】
また本実施形態においては、各細長パネル１６がその第２部位１６ｂにおいて両ガイドレール１２に係合するとともに、各連結構造１８がリンク部材２０を備えた構成となっており、そしてこのリンク部材２０が、その第１貫通孔２０ａにおいて細長パネル１６の第２部位１６ｂとピン結合するとともに、その第２貫通孔２０ｂにおいて細長パネル１６に隣接する細長パネル１６における第２部位１６ｂの近傍部位とピン結合しており、リンク部材２０と細長パネル１６との交角が直角になったときのみ細長パネル１６がリンク部材２０のスリット２０ｃに沿ってスライドし得るように構成されているので、各細長パネル１６の自重を利用して、その移動位置により各細長パネル１６を略水平状態、略鉛直状態、および畳んだ状態にすることができる。
【００５９】
さらに本実施形態においては、各細長パネル１６がその第２部位１６ｂにおいてヒモ状部材３２により相互に連結されているので、各細長パネル１６をバルコニー前部位置あるいはバルコニー後部位置において上下方向に角度調整する際、これらを連動させて一斉に角度調整することが可能となり、これにより各細長パネル１６の姿勢変化を容易に行わせることができる。
【００６０】
本実施形態に係るバルコニー用シャッタ装置１０は、シャッタ１４を１組だけ備えた構成となっているが、図９に示すように、シャッタ１４を２組備えた構成とすることも可能である。このようにした場合には、シャッタ１４をバルコニー前部位置およびバルコニー後部位置に１組ずつ同時に配置することが可能となり、これにより快適環境の創出を一層容易なものとすることができる。
【図面の簡単な説明】
【図１】本願発明の一実施形態に係るバルコニー用シャッタ装置を示す側断面図
【図２】図１のII部詳細図
【図３】図２の要部斜視図
【図４】図３のIV-IV 線断面詳細図
【図５】図４と同様の図
【図６】図１のVI部詳細図
【図７】図１のVII 部詳細図
【図８】図７のVIII-VIII 線断面図
【図９】上記実施形態の変形例を示す、図１と同様の図
【符号の説明】
２  バルコニー
２ａ  天井面
２ｂ  手摺
２ｃ  床部上面
４  掃出し窓
６  壁面部
１０  バルコニー用シャッタ装置
１２  ガイドレール
１２Ｆ  前端鉛直部
１２Ｒ  後端鉛直部
１２Ｕ  上端水平部
１２ａ  ガイド溝
１２ａ１  狭幅部分
１４  シャッタ
１６  細長パネル
１６ａ  第１部位
１６ｂ  第２部位
１６ｃ  第１フランジ部
１６ｄ  第２フランジ部
１６ｅ  ピン固定穴
１８  連結構造
２０  リンク部材
２０ａ  第１貫通孔
２０ｂ  第２貫通孔
２０ｃ  スリット
２２  パネル本体
２４  カバー金具
２６  断熱層
２８  ガイドローラ
２８Ａ  ローラ部
２８Ｂ  軸部
２８ａ  ストッパ
３０  ピン部材
３０ａ  軸部
３２  ヒモ状部材
３４  係止ピン
１０２  ブラケット
１０４  ストッパ
１０６  Ｌ字部材
１０８  隙間塞ぎ材
【図１】
0003818440.tif 000002
【図２】
0003818440.tif 000003
【図３】
0003818440.tif 000004
【図４】
0003818440.tif 000005
【図５】
0003818440.tif 000006
【図６】
0003818440.tif 000007
【図７】
0003818440.tif 000008
【図８】
0003818440.tif 000009
【図９】
0003818440.tif 000010